(57)【要約】  引出し（９）や摺動部分その他の、一点の家具の本体（３）から変位できる家具の部分のための入子式ガイド（１）に関する。ガイドは、前記部分に固定されてなるラッチ要素（７）を介して家具の部分にロックされる摺動レール（２）と、一点の家具における本体に固定される案内レール（４）と、案内レールと摺動レールとの間に配置され、該レールの摺動長さを増加させる任意的要素としての中央レール（５）とを備えている。挿入リミッタ（８）は、摺動レールの前端領域に位置し、前記リミッタは、摺動レールが完全に挿入されていないとき、案内レール又は中央レールの前面に対して当接して配置される。リミッタは、ラッチ要素によってピボットされることで挿入封鎖位置から係脱し、該ラッチ要素におけるラッチカム（７ｂ）は、摺動レールにおけるラッチ凹部（２ａ，２ｂ）に係合する。これは潜在的な誤動作を防ぐ。【選択図】図８
2008534195.tif 000002
【特許請求の範囲】
【請求項１】
一点の家具のキャビネット（３）に変位可能に配置された引出し（９）又は引抜き部分その他の家具の部分のために用いられる入子式ガイド（１）であって、家具の部分に固定されてなるラッチ要素（７）を介して家具の部分に係止される摺動レール（２）と、一点の家具における本体に固定される案内レール（４）と、案内レール（４）と摺動レール（２）との間に介在し、レールが延びる長さを増加させる任意的要素である中央レール（５）とを備えてなる上記入子式ガイドにおいて、
摺動レール（２）の前端領域には挿入リミッタ（８）が配置され、該挿入リミッタは、摺動レール（２）が完全に挿入されていないとき、案内レール（４）又は中央レール（５）の前端に対して当接し、摺動レール（２）のラッチ凹部（２ａ，２ｂ）に設けたラッチカム（７ｂ）に係合してなるラッチ要素（７）によって、その挿入封鎖位置から旋回して外れることができることを特徴とする入子式ガイド。
【請求項２】
挿入リミッタ（８）は、摺動レール（２）の前端に挿入されるストッパ（８ａ）と、このストッパ（８ａ）に固定された形状ばね（８ａ）とを備えていることを特徴とする請求項１に記載の入子式ガイド。
【請求項３】
形状ばね（８ｂ）の前端（８ｄ）は、摺動レール（２）が家具の部分に結合されていないとき、中央レール（５）又は案内レール（４）の前端に当接していることを特徴とする請求項２に記載の入子式ガイド。
【請求項４】
形状ばね（８ｂ）には少なくともひとつの突起部（８ｃ）が設けられ、該突起部は摺動レール（２）のラッチ凹部（２ａ，２ｂ）の領域内に突出し、ラッチ要素（７）における一つのラッチノーズ（７ｂ）又は複数のラッチノーズ（７ｂ）によって前記位置から旋回することを特徴とする請求項１〜３のいずれか一項に記載の入子式ガイド。
【請求項５】
ラッチノーズ（７ｂ）又は複数のラッチノーズ（７ｂ）は弾性的に旋回して一つのラッチ凹部又は複数のラッチ凹部（２ａ，２ｂ）に入り、一つのラッチ凹部又は複数のラッチ凹部（２ａ，２ｂ）の方向に作用する、そのばね力は、形状ばね（８ｂ）のばね力に比べて大きくなっていることを特徴とする請求項１〜４のいずれか一項に記載の入子式ガイド。
【請求項６】
形状ばね（８ｂ）は、ストッパ（８ａ）と一体的に製造されていることを特徴とする請求項１〜５のいずれか一項に記載の入子式ガイド。
【請求項７】
挿入リミッタ（８）は、ばね付勢を受ける１本アーム又は２本アームのレバーであることを特徴とする請求項１〜６のいずれか一項に記載の入子式ガイド。
【発明の詳細な説明】
【技術分野】
【０００１】
本発明は、一点の家具のキャビネットに変位可能に配置された引出し又は引抜き部分その他の家具の部分のために用いられる入子式ガイドに関し、家具の部分に固定されてなるラッチ要素を介して家具の部分に係止される摺動レールと、一点の家具における本体に固定される案内レールと、案内レールと摺動レールとの間に介在し、レールが延びる長さを増加させる任意的要素である中央レールとを備えてなる上記入子式ガイドに関する。
【背景技術】
【０００２】
一般的なタイプの入子式レールは、それ自体知られており、多数の実施形態において具体化されている。
【０００３】
また、一点の家具のキャビネットに変位可能に配置された家具の部分を摺動レールに結合し、家具の部分を摺動レールの前端領域において摺動レールに対して固定し、より正確には、軸線方向及び軸線方向を横切る方向に固定することも知られている。
【０００４】
結合は、慣習的に、変位可能な家具の部分が初めて完全に入れられたときに、結合がもたらされるように行われる。
【０００５】
従前に使用されていた構造は、軸線方向の結合が毎回得られることを効率的に確保できないので、家具の部分が初めて引き出されるとき、家具の部分が摺動レールに結合していないならば、家具の部分が摺動レールから完全に分離するリスクが存在する。これは、負傷の著しいリスクにつながる。
【発明の開示】
【発明が解決しようとする課題】
【０００６】
本発明の目的は、可動な家具の部分が初めて閉じられ又は挿入されたならば、あらゆる状況の下で、家具の部分の摺動レールへの軸線方向の結合が確保されるような、一般的なタイプの入子式ガイドを構成することである。
【課題を解決するための手段】
【０００７】
本発明の目的を達成するため、摺動レールの前端領域には挿入リミッタが配置され、該挿入リミッタは、摺動レールが完全に挿入されていないとき、案内レール又は中央レールの前端に対して当接し、摺動レールのラッチ凹部に設けたラッチカムに係合してなるラッチ要素によって、その挿入封鎖位置から旋回して外れることができることを特徴とする。
【０００８】
従って、本発明が基づく核になるアイデアは、最終的な挿入位置に達する直前に摺動レールを挿入方向に強制的に封鎖することで、摺動レールと家具の部分との間に結合を確保し、摺動レールと家具の部分との間の結合に続いて、結合をもたらす手段によって、挿入リミッタを挿入封鎖位置から旋回させて外して、再び解放することである。
【０００９】
従って、潜在的な誤動作は排除され、というのは、言い換えれば、家具の部分が初めて完全に挿入されたとき、ユーザはあらゆる場合にこれを認識することができるからである。
【００１０】
本発明のさらに別の特徴は、従属請求項の主題である。
【００１１】
本発明の実施形態について、添付図面に例示し、以下にさらに詳細に説明する。
【発明を実施するための最良の形態】
【００１２】
図１において、参照符号１は入子式ガイドの全体を示していて、この入子式ガイドは、一点の家具のキャビネットに変位可能にガイドされる、引出しなどの家具の部分のためのものである。
【００１３】
この入子式ガイドは、公知のやり方にて、変位可能な家具の部分に結合される摺動レール２と、一点の家具において、指示されたキャビネット３に固定される案内レール４と、レールが延びる長さを増加させるように、摺動レール２と案内レール４との間に配置される中央レール５とを備えている。
【００１４】
図２は、引出しの側部フレーム６を示した概要図であって、該引出しには、全体を参照符号７にて示したラッチ要素が公知のやり方にて固定され、そのために、引出しと入子式ガイド１における摺動レール２との間を結合させる、公知のクリップコネクタが使用されている。
【００１５】
図３の（ａ）及び（ｂ）は、クリップ手段７ａを備えたラッチ要素を示していて、該クリップ手段は、ベアリング及び補強ウェブ６ａ（図２参照）の領域において側部フレームに固定される。
【００１６】
また、ラッチ要素７は、弾性脚部７ｃ上にラッチノーズ７ｂを具備していて、ラッチノーズ７ｂは、後述するやり方にて摺動レールの凹部に係合するように使用され、もって、引出しを摺動レール２に結合する。
【００１７】
また、ラッチ要素７はハンドル７ｄを有し、該ハンドルは、ラッチノーズ７ｂを摺動レール２の凹部から外し、もって、必要ならば、結合を解消する。
【００１８】
図４は、ベアリング及び補強ウェブ６ａ上に組み立てられた、ラッチ要素７を備えた側部フレーム６を示した底面図である。
【００１９】
図５の（ａ）乃至（ｃ）は、摺動レール２の前端領域を示した様々な斜視図であって、これらのいくつかは断面図になっている。
【００２０】
この摺動レール２には、少なくともひとつの凹部２ａが設けられ、該凹部の中には、軸線方向の結合の目的のために、可動な家具の部分と摺動レール２との間において、上述したラッチ要素７のラッチノーズ７ｂが係合することが、明らかである。
【００２１】
また、図５の（ａ）乃至（ｃ）から明らかなように、摺動レール２の前端領域には、挿入リミッタ８が設けられ、該挿入リミッタは、摺動レール２に挿入されるストッパ８ａを備え、これに固定された形状ばね８ｂを有している。形状ばね８ｂは、そのばね力によって、摺動レール２の凹部２ａの方向へ絶えず負荷を加えるような、少なくともひとつの横方向の突起部８ｃを有するように構成されている。
【００２２】
初期位置においては、すなわち、突起部８ｃが凹部２ａの方向へ旋回するときには、摺動レール２の内部に向けられた形状ばね８ｂの前端８ｄは、中央レール５に対して変位経路の中にある。
【００２３】
これは、図７ａに示すように、挿入リミッタ８の前記前端８ｄが中央レール５の前端面に当接する程度まで、摺動レール２が、初期には、ただ挿入方向だけに押し込まれることを意味する。ラッチ要素７のラッチノーズ７ｂが凹部２ａに係合したときにのみ、形状ばね８ｂは図７ｂに示される位置へと旋回し、すなわち、形状ばね８ｂにおける前端８ｄは中央レール５の変位経路から外れる。摺動レール２と併せて、引出し又は任意のその他の所望の家具の部分は、摺動レール２に係止され、一点の家具の本体３の内部に完全に運び入れられる。しかしながら、これと同時に、このことは、摺動レール２が変位可能な家具の部分に結合されることを確保する。
【００２４】
図７ｂは、摺動レール２と可動な家具の部分との間に結合が達成された直後に得られる状況を示している。図７ｃは、結合状態に達した後に、摺動レール２が、その最大の挿入位置にまで、一点の家具のキャビネット３内に運び入れられた様子を示している。
【００２５】
図６ａ及び図６ｂは、本発明による入子式ガイド１について、例えば、側部フレーム６とこれに固定されたラッチ要素７とを備えた引出し９などの、可動な家具の部分が位置決めされる少し前の様子を示している。図６ｂは、引出し９が摺動レール２上に配置され終えた様子を示している。
【００２６】
引出し９を一点の家具のキャビネット３に挿入することで、図７ａ乃至図７ｃに従った進行段階が生じ、前述したように、摺動レール２と引出し９との間の結合が確保されている場合にのみ、引出し９は、一点の家具のキャビネット９の内部に完全に運び入れることができる。
【００２７】
それにより、一点の家具の取扱いの安全性は著しく増加し、特に、引出し又は異なる家具の部分が一点の家具のキャビネットから完全に引き出される結果による負傷のリスクは防止される。
【００２８】
実施形態が明瞭に示すように、摺動レール２には、例えば、さらに別の凹部２ｂが設けられ、該凹部の中には、形状ばね８ｂにおけるさらに別の突起部８ｅが突出している。これが有用なのは、例えば、図８及び図９に示すように、ラッチ要素７にラッチノーズ７ｂが設けられ、該ラッチノーズが上述の実施形態とは異なる位置に配置されるか、または、例えば、図９に示すように、２つのラッチノーズ７ｂが設けられ、すなわち、開示された解決法によって、異なる構成のラッチ要素７を使用できることである。
【００２９】
上の記述は、本発明によるアイデアを具体化するのに、入子式ガイド１に小さな変更と２〜３の追加的な構成要素だけが必要であることを明らかにしている。公知の入子式ガイドの構造的な構成要素の大部分は維持され、必要になることは、挿入リミッタ８を設けて、その作用がラッチ要素７のラッチノーズ７ｂによって係脱できるように構成することだけである。
【００３０】
本発明による構成が機能するためには、ばね力が必要であり、ばね力を用いてラッチ要素７のラッチノーズ７ｂは凹部２ａ又は凹部２ｂに押し込まれ、かかるばね力は、ラッチノーズ７ｂに対向する方向に、及びラッチ凹部２ａ又は凹部２ｂの方向に、突起部８ｃを旋回させる形状ばね８ｂのばね力に比べて強くなっている。
【００３１】
リーフばねは、もちろん、一体的生産のやり方でストッパと統合しても良く、また、例えば、プラスチック材料の部品としても良いことが言及されるべきである。
【００３２】
リーフばねは、ばね付勢を受ける１本アーム又は２本アームの回転可能に取り付けられたレバーに置き換えることも想定できる。
【００３３】
他方において、開示された原理は、矩形の横断面をもった案内レールに制限されず、むしろかかる原理は、あらゆるその他の案内レールに適用することができ、たとえ中空の輪郭の内側の保護された収容ももちろん好都合である。
【図面の簡単な説明】
【００３４】
【図１】本発明による入子式ガイドを示した端面図である。
【図２】図１の入子式ガイドの摺動レールに結合するためのラッチ要素を備えた引出しフレームを示した底部斜視図である。
【図３】（ａ）と（ｂ）はラッチ要素を示した様々な斜視図である。
【図４】図２の矢印ＩＶの方向に見た部分図である。
【図５】（ａ）〜（ｃ）は挿入リミッタを備えた入子式ガイドの摺動レールにおける前端領域を示した様々な斜視図である。
【図６ａ】ラッチ要素の領域における引出し及び入子式ガイドを、ある組立位置にて示した垂直断面図である。
【図６ｂ】ラッチ要素の領域における引出し及び入子式ガイドを、別の組立位置にて示した垂直断面図である。
【図７ａ】家具の部分と摺動レールとの間の挿入及び結合動作中の一段階を簡略に示した模式図である。
【図７ｂ】家具の部分と摺動レールとの間の挿入及び結合動作中の次の段階を簡略に示した模式図である。
【図７ｃ】家具の部分と摺動レールとの間の挿入及び結合動作中の更に次ぎの段階を簡略に示した模式図である。
【図８】図８は、図７ｃに対応し、本発明のさらに別の実施形態を示している。
【図９】図９は、図８に対応し、本発明のさらに別の実施形態を示している。
【図１】
2008534195.tif 000003
【図２】
2008534195.tif 000004
【図３】
2008534195.tif 000005
【図４】
2008534195.tif 000006
【図５】
2008534195.tif 000007
【図６ａ】
2008534195.tif 000008
【図６ｂ】
2008534195.tif 000009
【図７ａ】
2008534195.tif 000010
【図７ｂ】
2008534195.tif 000011
【図７ｃ】
2008534195.tif 000012
【図８】
2008534195.tif 000013
【図９】
2008534195.tif 000014
【国際調査報告】
2008534195.tif 000015
2008534195.tif 000016
2008534195.tif 000017
2008534195.tif 000018